(57)【要約】【課題】簡易な構成による映像表示装置を備える受信システムを提供することを目的とする。【解決手段】受信装置３は、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、中間周波数信号を音声中間周波数信号に変換する中間周波数処理回路部１５と、を備える。これによって映像表示装置４には、デジタル信号処理のための映像音声処理ＩＣを実装する必要がなく、簡易な構成の映像表示装置を用いて受信システムを実現することができる。【選択図】図１
2007129620.tif 000002
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記チューナ回路部から出力される中間周波数信号を音声中間周波数信号に変換する中間周波数処理回路部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、を備えており、
前記チューナ回路部が第１の基板上に配置され、
前記デジタル復調部と、前記中間周波数処理回路部と、前記デジタル回路部と、前記映像音声出力回路とが第２の基板上に配置され、
前記第１の基板と、前記第２の基板との間の信号パターンがジャンパ線で接続され、
装置外部に接する全面がシャーシに覆われることを特徴とする受信装置。
【請求項２】
前記中間周波数処理回路部が、中間周波数信号を音声中間周波数信号に変換するための中間周波数処理ＩＣを備えており、
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記中間周波数処理ＩＣと、前記映像音声処理ＩＣと、前記デジタル復調ＩＣとが、同一実装面の離れた位置に配置されていることを特徴とする請求項１に記載の受信装置。
【請求項３】
前記中間周波数処理回路部が、前記映像音声処理ＩＣおよび前記デジタル復調ＩＣと電磁的に遮蔽されていることを特徴とする請求項２に記載の受信装置。
【請求項４】
前記中間周波数処理回路部が、中間周波数信号を音声中間周波数信号に変換するための中間周波数処理ＩＣを備えており、
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記映像音声処理ＩＣと前記デジタル復調ＩＣとが、同一実装面の離れた位置に配置され、かつ、前記中間周波数処理ＩＣが、前記映像音声処理ＩＣおよび前記デジタル復調ＩＣが配置される実装面と反対面に配置されることを特徴とする請求項１に記載の受信装置。
【請求項５】
デジタルおよびアナログ放送波を受信して、映像信号および音声信号に変換し、表示および出力する受信システムであって、
請求項１〜請求項４のいずれかに記載の受信装置と、
前記受信装置から出力される映像信号に基づいて映像を表示し、あるいは音声信号に基づいて音声を出力する処理を行う映像表示装置と、を備える受信システム。
【発明の詳細な説明】
【技術分野】
【０００１】
本発明は、デジタルテレビジョン放送などの高周波信号を受信するための受信装置ならびに受信システムに関するものである。
【０００２】
図５は従来例の受信システムの概略的構成を示すブロック図である。図５に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２３と、映像音声出力回路９２２から出力されるアナログの音声信号に基づいて音声を出力する処理を行う音声処理部９２４と、デジタル回路部９２１、映像音声出力回路９２２、表示処理部９２３および音声処理部９２４に動作用電源を与える電源部９２５と、を備える。また、デジタル回路部９２１は、圧縮されたデジタル信号から映像信号および音声信号を抽出するための映像音声処理ＩＣ９２８と、映像音声処理を行う際に一時的に処理データを格納する映像音声処理メモリ９２６と、受信装置の制御コードを格納するプログラム用メモリ９２７とを備える。
【特許文献１】特開２０００−６８６７３号公報
【発明の開示】
【発明が解決しようとする課題】
【０００５】
このような従来構成の受信システム９００は、受信装置９０２を電磁的に遮蔽するためにシールドで覆う一方、映像表示装置９０３の基板上に映像音声処理ＩＣ９２８、映像音声処理メモリ９２６、プログラム用メモリ９２７、映像音声出力回路９２２、表示処理部９２３、音声処理部９２４を実装しており、部品および配線数が多くなるため映像表示装置９０３の基板を多層基板にする必要があった。
【０００６】
また、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４から発生する不要輻射やノイズ対策を映像表示装置９０３上で行う必要があり、これに伴ってシールドを追加する必要があった。
【０００７】
さらには、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４からの発熱対策として、基板の面積を大きくしたり放熱板を追加する必要があった。
【０００８】
上記の問題点に鑑み、本発明は、簡易な構成による映像表示装置を備える受信システムを提供することを目的とする。
【課題を解決するための手段】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記チューナ回路部から出力される中間周波数信号を音声中間周波数信号に変換する中間周波数処理回路部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えており、前記チューナ回路部が第１の基板上に配置され、前記デジタル復調部と、前記中間周波数処理回路部と、前記デジタル回路部と、前記映像音声出力回路とが第２の基板上に配置され、前記第１の基板と、前記第２の基板との間の信号パターンがジャンパ線で接続され、装置外部に接する全面がシャーシに覆われることを特徴とする。
【００１０】
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。さらに、第１の基板からの信号出力用端子をシャーシ外部に持たない構成とすることができるため、受信装置外部からのチューナ回路部へのノイズの混入を防止し、チューナ回路部の性能を劣化させない効果がある。特に、本発明は、入力される音声中間周波数を復調する回路を備える映像表示装置を用いて受信映像表示を行う場合に効果がある。
【００１１】
さらに、本発明の受信装置は、前記中間周波数処理回路部が、中間周波数信号を音声中間周波数信号に変換するための中間周波数処理ＩＣを備えており、前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、前記中間周波数処理ＩＣと、前記映像音声処理ＩＣと、前記デジタル復調ＩＣとが、同一実装面の離れた位置に配置されていることを特徴とする。
【００１２】
これにより、映像音声処理用メモリから発生するデジタルノイズを第１の基板上に配置されたチューナ回路部、および第２の基板上に配置された中間周波数処理回路部へ混入するのを防止し、性能を劣化させない効果がある。加えて、デジタル復調部が備えるデジタル復調ＩＣからの発熱と、デジタル回路部が備える映像音声処理ＩＣからの発熱とが分散されるため、性能を劣化させない効果がさらに高まる。また、数十以上のピンを備えるＩＣパッケージを第２の基板に集中させることで、第１の基板は第２の基板と比較して層数を少なくすることができ、受信装置の製造コストを抑制することができる。なお、例えば、前記第１の基板を２層基板とし、前記第２の基板を４層基板とするものとしても構わない。
【００１３】
さらに、本発明の受信装置は、前記中間周波数処理回路部が、前記映像音声処理ＩＣおよび前記デジタル復調ＩＣと電磁的に遮蔽されていることを特徴とする。
【００１４】
これにより、映像音声処理用メモリから発生するデジタルノイズを第２の基板上に配置された中間周波数処理回路部へ混入するのを防止し、性能を劣化させない効果がある。
【００１５】
また、本発明の受信装置は、前記映像音声処理ＩＣと前記デジタル復調ＩＣとが、同一実装面の離れた位置に配置され、かつ、前記中間周波数処理ＩＣが、前記映像音声処理ＩＣおよび前記デジタル復調ＩＣが配置される実装面と反対面に配置されることを特徴とする。
【００１６】
これにより、映像音声処理用メモリから発生するデジタルノイズを第２の基板上に配置された中間周波数処理回路部へ混入するのを防止し、性能を劣化させない効果がある。
【００１７】
また、本発明の受信システムは、デジタルおよびアナログ放送波を受信して、映像信号および音声信号に変換し、表示および出力する受信システムであって、上述の受信装置と、前記受信装置から出力される映像信号に基づいて映像を表示し、あるいは音声信号に基づいて音声を出力する処理を行う映像表示装置と、を備えることを特徴とする。
【発明の効果】
【００１８】
本発明の構成によれば、従来は映像表示装置に備えられていたデジタル回路部、映像音声出力回路を受信装置上に実装することで、映像表示装置を多層基板にすることなく、単層基板で実現することが可能となる。また、映像処理ＩＣについても映像表示装置上に実装しないため、このＩＣからの放熱対策を行う必要がなく、簡易な構成による映像表示装置によって受信システムを実現することが可能となる。さらに、受信装置が中間周波数信号を音声中間周波数信号に変換する中間周波数処理回路部を備えることで、音声中間周波数信号の復調回路を備える映像表示装置に対しても電気的に接続を行うことが可能である。
【発明を実施するための最良の形態】
【００１９】
本発明の受信システムの構成について、図面を参照して説明する。図１は、本発明の受信システムの概略的構成を示すブロック図である。
【００２０】
図１に示される受信システム１は、高周波信号を受信するアンテナ２と、アンテナ２で受信された信号に所定の処理を施して映像信号と音声信号を取得するための受信装置３と、受信装置３から与えられる映像信号に基づいて映像を表示し、あるいは音声信号に基づいて音声を出力する処理を行う映像表示装置４とで構成される。なお、アンテナ２は同軸ケーブルを介して受信装置３のチューナ入力端子側に接続され、受信装置３のインターフェース端子側は映像表示装置４に接続される。
【００２１】
受信装置３は、アンテナ２で受信された高周波信号を中間周波数信号（以下、「ＩＦ信号」と称する）に変換するチューナ回路部１１と、チューナ回路部１１から出力されるＩＦ信号を圧縮されたデジタル信号に変換するデジタル復調部１２と、チューナ回路部１１から出力されるＩＦ信号を音声中間周波数信号（以下、「ＳＩＦ信号」と称する）に変換する中間周波数処理回路部１５と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４、中間周波数処理回路部１５に動作用電源を与える電源部１６と、を備える。
【００２２】
なお、デジタル復調部１２は、ＩＦ信号をデジタル変換するための処理ＩＣであるデジタル復調ＩＣ２１を備える。また、中間周波数処理回路部１５は、ＩＦ信号をＳＩＦ信号に変換するための処理ＩＣである中間周波数処理ＩＣ２５を備え、デジタル回路部１３は、圧縮されたデジタル信号から映像信号および音声信号を抽出するための映像音声処理ＩＣ２４と、圧縮されたデジタルの映像信号、音声信号および復調したデジタルの映像信号、音声信号を保存する映像音声処理メモリ２２と、受信装置の制御コードを格納するプログラム用メモリ２３とを備える。また、チューナ回路部１１とデジタル復調ＩＣ２１とを制御するシリアル制御信号が映像音声処理ＩＣ２４に接続されている。
【００２３】
映像表示装置４は、受信装置３から与えられるアナログの映像信号に基づいて映像を表示する処理を行う表示処理部３１と、アナログの音声信号に基づいて音声を出力する処理を行う音声処理部３２と、表示処理部３１および音声処理部３２に動作用電源を与える電源部３３と、を備える。なお、音声処理部３２は、中間周波数処理回路部２５から入力されるＳＩＦ信号を復調するための復調回路を備える構成である。
【００２４】
図２は、図１における受信装置２の実装を示す模式図であり、図２（ａ）は、受信装置２を一方の面（表面）から見た状態を示しており、図２（ｂ）は受信装置２を他方の面（裏面）から見た状態を示している。
【００２５】
図２（ａ）に示すように、受信装置２は第１の基板５０と第２の基板６０による２基板で構成され、これらの基板の間には、第１のシールド板５１が挿入されることで電磁的に遮蔽されている。
【００２６】
第１の基板５０には、チューナ回路部１１が実装されている。また、この第１の基板５０は、シャーシ７０に取り付けられており、このチューナ回路部１１のアナログアースパターンがシャーシ７０に電気的に接続される。また、第１の基板５０には、チューナ入力端子５３が備えられ、アンテナ２で受信された高周波信号がこのチューナ入力端子５３よりチューナ回路部１１に入力される構成である。なお、このシャーシ７０には、表面、裏面にそれぞれフタが取り付けられており、第１の基板５０および第２の基板６０が、シールドで覆われている。
【００２７】
また第１の基板５０は、チューナ入力端子５３が設置される辺と反対側の辺に第１のコネクタ５４を備える。一方、第２の基板６０は、第１の基板５０側の辺に第２のコネクタ５５を備えており、これら第１のコネクタ５４と第２のコネクタ５５とがジャンパ６１によって電気的に接続される。このジャンパ６１は、すべて基板の片面（裏面）で接続されるものとしても構わない。
【００２８】
一方、第２の基板６０には、デジタル復調部１２と、デジタル回路部１３と、映像音声出力回路１４と、中間周波数処理回路部１５と、電源部１６とが実装されている。上述のように、この第２の基板６０は、第１の基板５０との間に設けられた第１のシールド板５１によって電磁的に遮蔽されている。
【００２９】
また、第２の基板６０は、基板の一辺に第３のコネクタ５６を備えており、この第３のコネクタ５６において、チューナ回路部１１の入出力端子の他、第２の基板に実装されているデジタル復調部１２、デジタル回路部１３、映像音声出力回路１４、中間周波数処理回路部１５、電源部１６に関わる入出力端子がそれぞれ配線されている。また、第３のコネクタ５６の端子のうち、第１の基板５０寄りの端子にはチューナ回路１１のＩＦ出力端子が配置されており、このＩＦ出力端子からＩＦ信号が出力される。一方、第３のコネクタ５６のうち、第１の基板５０から離れた位置の端子には映像音声出力回路１４の出力端子およびそのアース端子が配置されている。
【００３０】
この第３のコネクタ５６は、第２の基板６０の一辺に集中して配置されており、具体的には、チューナ入力端子５３の軸に対してＬ字の方向となる一辺に配置される。
【００３１】
また、デジタル復調部１２とデジタル回路部１３とは第２のシールド板５２によって電磁的に遮蔽されている。一方で、第２の基板６０に多層基板を採用するとともに、デジタル復調部１２に備えられるデジタル復調ＩＣ２１と、デジタル回路部１３に備えられる映像音声処理ＩＣ２４とを電気的に接続する配線が内層パターン配置されている。これらの両ＩＣは、第２の基板６０の同一面の離れた位置にそれぞれ実装される。また、デジタル復調ＩＣ２１および映像音声処理ＩＣ２４は、それぞれのＩＣパッケージが熱伝導体を介してシャーシ７０と接触している。そして、このデジタル復調部１２とデジタル回路部１３のデジタルアースパターンがシャーシ７０に電気的に接続される構成である。
【００３２】
この第２の基板６０におけるデジタルアースパターンとシャーシ７０との接続、および上述の第１の基板５０におけるアナログアースパターンとシャーシ７０との接続が、全て基板の裏面で半田接続されることで行われる（図２中の半田接続８１〜８８に該当）。このとき、基板の裏面とは、基板とフタとの距離が小さい方の面を示し、言い換えればシャーシ側面の高さが低い方の面を示す。裏面に半田付けを行うことで、受信装置の製造工程において、半田付け装置および工具がシャーシ側面に接触する可能性を軽減し、高効率の実装の実現が可能となる。
【００３３】
このとき、図２に示すように、アースパターンとシャーシとの接続箇所を、第１の基板５０および第２の基板６０の１辺のみでなく、複数の辺で行う構成とする。このようにすることで、シャーシとアースパターンとの間に接続点が増え、接続インピーダンスを小さくすることが可能となる。図２では、基板のすべての辺において、半田付けを行う場合を示している。このようにすることで、さらに広範囲に効率的に接続点が増え、インピーダンスを小さくする効果を得ることができる。
【００３４】
このとき、上述のジャンパ６１を、半田付けと同様の面、すなわち裏面で行うことにより、ジャンパ線６１および各基板のアースパターンとシャーシ７０とを半田接続する際、基板を裏返す必要がなく、工数を削減することができる。
【００３５】
デジタル回路部１３は、一方の面（表面）に映像音声処理ＩＣ２４が実装され、他方の面（裏面）に映像音声処理用メモリ２２およびプログラム用メモリ２３が実装される構成である。そして、映像音声処理ＩＣ２４と、映像処理用メモリ２２およびプログラム用メモリ２３との間を電気的に接続する配線が内層パターン配置されている。
【００３６】
そして、チューナ回路部１１、デジタル復調部１２、デジタル回路部１３、映像音声出力回路１４それぞれの電源端子が、第３のコネクタ５６内の、映像音声出力回路１４の出力端子とチューナ回路部１１のＩＦ出力端子との間に配置されている。
【００３７】
このように構成されるとき、受信装置３の基板上に、デジタル回路部１３と映像音声出力回路１４とを実装することで、映像表示装置４は、受信装置３から入力される映像信号を表示する表示処理部３１と音声信号を音声出力する音声処理部３２を備えるのみでよく、多層基板にする必要がない。また従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。
【００３８】
さらに、受信装置３内に、ＩＦ信号をＳＩＦ信号に変換信号に変換する中間周波数処理回路１５を備えているため、ＳＩＦ信号の復調回路を備える映像表示装置に対して電気的に接続を行うことが可能である。
【００３９】
そして、第１の基板５０は、数十以上の多数のピンを持つＩＣが搭載されていないため、映像音声処理ＩＣやデジタル復調ＩＣを備える第２の基板６０と比較して、基板の層数を少なくすることができる。たとえば、第１の基板５０を２層基板とし、第２の基板６０を４層基板とするものとして構わない。
【００４０】
また、受信装置３の基板上に実装されるデジタル復調ＩＣ２１および映像音声処理ＩＣ２４は、それぞれ熱伝導体を介してシャーシ７０に接続させることで、ＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００４１】
また、本発明の構成によれば、受信装置内で、アナログ回路で構成される第１の基板と、デジタル回路で構成される第２の基板とを分離されており、これによってデジタル復調部やデジタル回路部から発生されるデジタルノイズがチューナ回路部に混入するのを防止し、チューナ回路部の性能が劣化しない効果がある。
【００４２】
また、アナログアースパターンとデジタルアースパターンを、それぞれシャーシ７０に電気的に接続する構成とすることで、第１の基板に備えられる第１のコネクタと、第２の基板に備えられる第２のコネクタとにアース接続を行う必要がなく、また、アナログアース間とデジタルアース間のインピーダンスを抑制する効果がある。
【００４３】
図３は、図２（ａ）の別の形態の実施例である。図３に示すように、デジタル復調部１２と中間周波数処理回路部１５とを第３のシールド板５７で遮蔽することで、デジタル復調部１２からのデジタルノイズが中間周波数処理ＩＣ２５に混入するのを防止され、性能が劣化しない効果がある。
【００４４】
図４は、図２（ｂ）の別の形態の実施例である。図４に示すように、中間周波数処理ＩＣ２５を映像音声処理ＩＣ２４及びデジタル復調ＩＣ２１が配置されている基板面と異なる面に配置している（図４では、基板の裏面に中間周波数処理ＩＣ２５を配置するとともに、基板の表面に映像音声処理ＩＣ２４及びデジタル復調ＩＣ２１を配置している）。このように構成することで、デジタル復調部１２あるいはデジタル回路部１３から発生されるデジタルノイズが中間周波数処理回路部１５に混入するのを防止し、性能が劣化しない効果がある。
【００４５】
また、第１の基板と第２の基板とをシールド板で分離する構成とすることで、第２の基板に実装されるデジタル復調部およびデジタル回路部から発生する電磁波が、第１の基板側のチューナ回路部に混入するのを抑制する効果がある。
【００４６】
さらに、第２の基板において、デジタル復調部とデジタル回路部とをシールド板で分離する構成とすることで、デジタル回路部から発生する電磁波がデジタル復調部に混入するのを抑制する効果がある。
【産業上の利用可能性】
【００４７】
本発明の受信システムは、デジタルテレビジョン放送などを受信して受信映像を表示する受信システムに対して好適に利用され得る。
【図面の簡単な説明】
【００４８】
【図１】は、本発明の受信システムの概略的構成を示すブロック図である。
【図２】は、図１における受信装置３の実装を示す模式図である。
【図３】は、図１における受信装置３の実装を示す別の模式図である。
【図４】は、図１における受信装置３の実装を示すさらに別の模式図である。
【図５】は、従来構成の受信システムの概略的構成を示すブロック図である。
【符号の説明】
【００４９】
１    受信システム
２    アンテナ
３    受信装置
４    映像表示装置
１１    チューナ回路部
１２    デジタル復調部
１３    デジタル回路部
１４    映像音声出力回路
１５    中間周波数処理回路部
１６    電源部
２１    デジタル復調ＩＣ
２２    映像音声処理メモリ
２３    プログラム用メモリ
２４    映像音声処理ＩＣ
２５    中間周波数処理ＩＣ
３１    表示処理部
３２    音声処理部
３３    電源部
５０    第１の基板
５１    第１のシールド板
５２    第２のシールド板
５３    チューナ入力端子
５４    第１のコネクタ
５５    第２のコネクタ
５６    第３のコネクタ
５７    第３のシールド板
６０    第２の基板
６１    ジャンパ
７０    シャーシ
８１〜８８  半田
９００    受信システム
９０１    アンテナ
９０２    受信装置
９０３    映像表示装置
９１１    チューナ回路部
９１２    デジタル復調部
９１４    デジタル復調ＩＣ
９２１    デジタル回路部
９２２    映像音声出力回路
９２３    表示処理部
９２４    音声処理部
９２５    電源部
９２６    映像音声処理メモリ
９２７    プログラム用メモリ
９２８    映像音声処理ＩＣ
【図１】
2007129620.tif 000003
【図２】
2007129620.tif 000004
【図３】
2007129620.tif 000005
【図４】
2007129620.tif 000006
【図５】
2007129620.tif 000007
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記チューナ回路部から出力される中間周波数信号を音声中間周波数信号に変換する中間周波数処理回路部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、
を備えることを特徴とする受信装置。
【請求項２】
前記チューナ回路部が第１の基板上に配置され、
前記デジタル回路部と、前記デジタル復調部と、前記中間周波数処理回路部と、前記映像音声出力回路とが第２の基板上に配置され、
前記第１の基板と前記第２の基板との間を接続して、信号パターンの伝達を行う接続部を備えることを特徴とする請求項１に記載の受信装置。
【請求項３】
前記接続部がジャンパ線で構成されることを特徴とする請求項２に記載の受信装置。
【請求項４】
装置外部に接する全面がシャーシに覆われることを特徴とする請求項１〜請求項３のいずれかに記載の受信装置。
【請求項５】
前記中間周波数処理回路部が、中間周波数信号を音声中間周波数信号に変換するための中間周波数処理ＩＣを備えており、
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記中間周波数処理ＩＣと、前記映像音声処理ＩＣと、前記デジタル復調ＩＣとが、同一実装面の離れた位置に配置されていることを特徴とする請求項１〜請求項４のいずれかに記載の受信装置。
【請求項６】
前記中間周波数処理回路部が、前記映像音声処理ＩＣおよび前記デジタル復調ＩＣと電磁的に遮蔽されていることを特徴とする請求項５に記載の受信装置。
【請求項７】
前記中間周波数処理回路部が、中間周波数信号を音声中間周波数信号に変換するための中間周波数処理ＩＣを備えており、
前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備えるととともに、前記デジタル復調部が、ＩＦ信号をデジタル変換するための処理ＩＣであるデジタル復調ＩＣを備えており、
前記映像音声処理ＩＣと前記デジタル復調ＩＣとが、同一実装面の離れた位置に配置され、かつ、前記中間周波数処理ＩＣが、前記映像音声処理ＩＣおよび前記デジタル復調ＩＣが配置される実装面と反対面に配置されることを特徴とする請求項１〜請求項４のいずれかに記載の受信装置。
【請求項８】
デジタルおよびアナログ放送波を受信して、映像信号および音声信号に変換し、表示および出力する受信システムであって、
請求項１〜請求項７のいずれかに記載の受信装置と、
前記受信装置から出力される映像信号に基づいて映像を表示し、あるいは音声信号に基づいて音声を出力する処理を行う映像表示装置と、を備える受信システム。
【手続補正２】
【補正対象書類名】明細書
【補正対象項目名】０００９
【補正方法】変更
【補正の内容】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記チューナ回路部から出力される中間周波数信号を音声中間周波数信号に変換する中間周波数処理回路部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えることを特徴とする。
【手続補正３】
【補正対象書類名】明細書
【補正対象項目名】００１０
【補正方法】変更
【補正の内容】
【００１０】
又、前記チューナ回路部が第１の基板上に配置され、前記デジタル回路部と、前記中間周波数処理回路部と、前記デジタル復調部と、前記映像音声出力回路とが第２の基板上に配置されるものとしても構わない。そして、前記第１の基板と、前記第２の基板との間の信号パターン接続する接続部を備え、更に、この接続部がジャンパ線で構成されるものとしても構わない。又、装置外部に接する全面がシャーシに覆われる。
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。さらに、第１の基板からの信号出力用端子をシャーシ外部に持たない構成とすることができるため、受信装置外部からのチューナ回路部へのノイズの混入を防止し、チューナ回路部の性能を劣化させない効果がある。特に、本発明は、入力される音声中間周波数を復調する回路を備える映像表示装置を用いて受信映像表示を行う場合に効果がある。